(57)【要約】【課題】小形化を図る。【解決手段】画像表示構造体２が前後方向に貫通した角筒状の容器３の前側から容器３の内部に挿入され、止ねじ７４が容器３の裏側から画像表示構造体２を貫通して容器３に締結されることによって、画像表示構造体２が容器３の内部前側に取り付けられ、画像表示構造体２を電気的に制御する制御回路基板４が容器３の裏側から容器３の内部に挿入されて画像表示構造体２の裏側に配置され、止ねじ８３が容器３の裏側から制御回路基板４を貫通して容器３に締結されることによって、制御回路基板４が容器３の内部裏側に取り付けられ、蓋５が制御回路基板４を覆い隠すように容器３の裏側に取り付けられ、画像表示構造体２および制御回路基板４が互いに容器３の内部における長さの短い電線１９；４７で接続され、容器３と蓋５とからなる筐体の内部には短い電線１９；４７を収容する場所が必要なだけで、遊技画像表示装置１が小形化できる。【選択図】図１
2007021110.tif 000002
【特許請求の範囲】
【請求項１】
画像表示構造体が前後方向に貫通した角筒状の容器の前側から容器の内部に挿入され、止ねじが容器の裏側から画像表示構造体を貫通して容器に締結されることによって、画像表示構造体が容器の内部前側に取り付けられ、画像表示構造体を電気的に制御する制御回路基板が容器の裏側から容器の内部に挿入されて画像表示構造体の裏側に配置され、止ねじが容器の裏側から制御回路基板を貫通して容器に締結されることによって、制御回路基板が容器の内部裏側に取り付けられ、蓋が容器の裏側に取り付けられたことを特徴とする遊技画像表示装置。
【請求項２】
画像表示構造体および制御回路基板がコネクタを備え、被覆電線がコネクタを備え、被覆電線のコネクタが画像表示構造体および制御回路基板のコネクタに機械的に嵌め込まれて電気的に接続されることによって、画像表示構造体および制御回路基板が互いに接続されたことを特徴とする請求項１記載の遊技画像表示装置。
【請求項３】
画像表示構造体が面状表示器およびバックライト回路基板をユニットフレームに装着した構造であることを特徴とする請求項１記載の遊技画像表示装置。
【請求項４】
容器が蓋係合部および蓋止部を備え、蓋が容器係合部および容器止部を備え、蓋係合部と容器係合部とが互いに嵌め合わされ、蓋止部と容器止部とが互いに嵌め合わされることによって、蓋が容器に取り付けられたことを特徴とする請求項１記載の遊技画像表示装置。
【発明の詳細な説明】
【技術分野】
【０００１】
本発明は、小形化が容易な遊技画像表示装置に関する。
【背景技術】
【０００２】
遊技画像表示装置には、次のような構造のものが知られている。それは、２つの容器がヒンジで連結され、一方の容器には面状表示器および駆動回路基板が装着され、他方の容器には制御回路基板が装着され、面状表示器および駆動回路基板と制御回路基板とが互いに被覆電線で接続され、２つの容器が閉じられて面状表示器と駆動回路基板と制御回路基板および被覆電線を収容した１つの筐体を構成している。しかしながら、２つの容器がヒンジを中心として開ききることができるように、面状表示器および駆動回路基板と制御回路基板とを接続する被覆電線が長くなっている。そして、２つの容器が閉じられる場合、被覆電線が２つの容器で挟まされないように、筐体の内部には長い被覆電線を収容する場所が必要であり、遊技画像表示装置が大形にならざるを得ないという欠点がある。
【特許文献１】特許第３４６２２３３号公報
【発明の開示】
【発明が解決しようとする課題】
【０００３】
発明が解決しようとする問題点は、遊技画像表示装置を小形化できないという点である。
【課題を解決するための手段】
【０００４】
本発明に係る遊技画像表示装置は、画像表示構造体が前後方向に貫通した角筒状の容器の前側から容器の内部に挿入され、止ねじが容器の裏側から画像表示構造体を貫通して容器に締結されることによって、画像表示構造体が容器の内部前側に取り付けられ、画像表示構造体を電気的に制御する制御回路基板が容器の裏側から容器の内部に挿入されて画像表示構造体の裏側に配置され、止ねじが容器の裏側から制御回路基板を貫通して容器に締結されることによって、制御回路基板が容器の内部裏側に取り付けられ、蓋が容器の裏側に取り付けられたことを最も主要な特徴とする。画像表示構造体および制御回路基板がコネクタを備え、被覆電線がコネクタを備え、被覆電線のコネクタが画像表示構造体および制御回路基板のコネクタに機械的に嵌め込まれて電気的に接続されることによって、画像表示構造体および制御回路基板が互いに接続されたり、または、画像表示構造体が面状表示器およびバックライト回路基板をユニットフレームに装着した構造であったり、容器が蓋係合部および蓋止部を備え、蓋が容器係合部および容器止部を備え、容器係合部と蓋係合部とが互いに嵌め合わされ、蓋止部と容器止部とが互いに嵌め合わされることによって、蓋が容器に取り付けられたりしてもよい。
【発明の効果】
【０００５】
本発明に係る遊技画像表示装置は、容器と蓋とが筐体を形成し、画像表示構造体が筐体の内部前側に取り付けられ、制御回路基板が画像表示構造体の裏側に位置するように筐体の内部裏側に取り付けられ、画像表示構造体および制御回路基板が互いに容器の内部における被覆電線で接続されているので、当該被覆電線の長さが最も短くでき、被覆電線が蓋と容器とで挟まされることがなく、筐体の内部には短い被覆電線を収容する場所が必要なだけであるので、遊技画像表示装置が小形化できるという利点がある。被覆電線のコネクタが画像表示構造体および制御回路基板のコネクタに機械的に嵌め込まれて電気的に接続されることによって、画像表示構造体および制御回路基板が互いに接続されれば、被覆電線のコネクタと画像表示構造体および制御回路基板のコネクタとを容器の裏側から取り外すことができるという利点がある。画像表示構造体が面状表示器およびバックライト回路基板をユニットフレームに装着した構造であれば、画像表示構造体の運搬や保管が容易であるという利点がある。蓋係合部と容器係合部とが互いに嵌め合わされ、蓋止部と容器止部とが互いに嵌め合わされることによって、蓋が容器に取り付けられれば、止ねじのような締結具が不要となるという利点がある。
【発明を実施するための最良の形態】
【０００６】
図１乃至図１２は、発明を実施するための最良の形態である。図１は、遊技画像表示装置１の縦方向に切断した断面を示す。図２は、遊技画像表示装置１を分解して示す。図３は、画像表示構造体２を分解して示す。図４は、面状表示器７とユニットフレーム８との組立方を示す。図５は画像表示構造体２の裏面を示す。図６は、図５をＢ−Ｂ線に沿い切断した断面を示す。図７は、画像表示構造体２と容器３とを互いに分離して示す。図８は、容器３と制御回路基板４とを互いに分離して示す。図９は、画像表示構造体２および制御回路基板４の組み立てられた容器３を裏側から示す。図１０は、容器３と蓋５とを互いに分離して示す。図１１は、組み立てられた遊技画像表示装置１を裏側から示す。図１２は、遊技画像表示装置１の取り付けられた遊技盤９６を裏側から示す。本明細書において、「前」、「後」、「裏」、「左」、「右」、「上」、「下」の方向は、図１２の状態に遊技画像表示装置１および遊技盤９６を置いて矢印Ａで示す前側から見た場合に特定される方向である。「後」と「裏」とは同じ方向である。
【０００７】
図１および図２を参照し、遊技画像表示装置１の構造について説明する。遊技画像表示装置１は、画像表示構造体２が前後方向に貫通した角筒状の容器３の前側から容器３の内部に挿入され、タッピングスクリューのような止ねじ７４が容器３の裏側から画像表示構造体２を貫通して容器３に締結されることによって、画像表示構造体２が容器３の内部前側に取り付けられ、画像表示構造体２を電気的に制御する制御回路基板４が容器３の裏側から容器３の内部に挿入されて画像表示構造体２の裏側に配置され、タッピングスクリューのような止ねじ８３が容器３の裏側から制御回路基板４を貫通して容器３に締結されることによって、制御回路基板４が容器３の内部裏側に取り付けられ、蓋５が制御回路基板４を覆い隠すように容器３の裏側に取り付けられることによって、遊技画像表示装置１が構成される。
【０００８】
とりわけ、図１に示すように、遊技画像表示装置１は、容器３と蓋５とが筐体を形成し、面状表示器７とユニットフレーム８およびバックライト回路基板９からなる画像表示構造体２が筐体の内部前側に取り付けられ、制御回路基板４が画像表示構造体２の裏側に位置するように筐体の内部裏側に取り付けられ、画像表示構造体２におけるバックライト引出線１６のコネクタ１７がバックライト回路基板９のコネクタ４２に機械的に嵌め込まれて電気的に接続されたことによって、面状表示器７とバックライト回路基板９とが互いに配線で接続され、バックライト回路基板９のコネクタ４３および制御回路基板４のコネクタ７８には被覆電線４７のコネクタ４８；４９が個別に機械的に嵌め込まれて電気的に接続されたことによって、制御回路基板４とバックライト回路基板９とが互いに配線で接続された態様である。つまり、蓋５が容器３に対し開けられたり、蓋５が容器３に対し閉じられたりすることができるように、筐体の内部に収容されるバックライト引出線１６や被覆電線４７が長くなく短くなっている。そして、蓋５が容器３に対し閉じられる場合、バックライト引出線１６や被覆電線４７が蓋５と容器３とで挟まれることがなく、筐体の内部には短いバックライト引出線１６や被覆電線４７を収容する場所が必要なだけであるので、遊技画像表示装置１が小形化できるという利点がある。
【０００９】
蓋５が容器３から取り外され、画像表示構造体２および制御回路基板４が容器３の内部に止ねじ７４；８３で取り付けられた状態において、人が容器３の裏側からコネクタ４９をコネクタ７８から取り外し、人がねじまわしのような工具で容器３の裏側から止ねじ７４を容器３から取り外すことによって、画像表示構造体２が制御回路基板４と無関係に単独で容器３の前側に取り外せるという利点がある。また、蓋５が容器３から取り外され、画像表示構造体２および制御回路基板４が容器３の内部に止ねじ７４；８３で取り付けられた状態において、人が容器３の裏側からコネクタ４９をコネクタ７８から取り外し、人がねじまわしのような工具で容器３の裏側から止ねじ８３を容器３から取り外すことによって、制御回路基板４が画像表示構造体２と無関係に単独で容器３の裏側に取り外せるという利点がある。このように止ねじ７４；８３が互いに別々に独立して容器３から取り外せる構造については、図９で後述する。要するに、画像表示構造体２および制御回路基板４が互いに別々に独立して筐体から取り外されることによって、遊技画像表示装置１が解体できるという利点がある。
【００１０】
図３を参照し、画像表示構造体２の構造について説明する。画像表示構造体２は、面状表示器７、ユニットフレーム８、バックライト回路基板９などの構成部品を備える。そして、面状表示器７およびバックライト回路基板９がユニットフレーム８に装着されることによって、画像表示構造体２が構成される。つまり、画像表示構造体２が面状表示器７およびバックライト回路基板９をユニットフレーム８に装着した構造であるので、画像表示構造体２の運搬や保管が容易であるという利点がある。面状表示器７は、電気的に表示形態の変えられる画像を前面側の方形な表示画面１０に表示する、液晶表示器またはプラズマディスプレイなどから構成される。最良の形態は、面状表示器７として液晶表示器を採用した場合であって、液晶表示器の表示画面１０を全体的に照明するための、バックライトや導光部材および光拡散部材などからなるバックライト構成部材は、面状表示器７に含まれる。
【００１１】
面状表示器７には、面状表示器７をユニットフレーム８に固定するための取付部１１が、面状表示器７の左右端部に２箇所ずつ設けられる。取付部１１は、前側凹部１２と裏側凹部１３との間に存在する隔壁１４に前後方向への貫通孔として形成されたねじ挿入孔１５を備える。前側凹部１２は、面状表示器７の前面および端面に開口し、面状表示器７の前面から内部への窪みとして形成される。裏側凹部１３は、面状表示器７の裏面および端面に開口し、面状表示器７の裏面から内部への窪みとして形成される。面状表示器７の左右方向の一端部には、面状表示器７から外部に延びた被覆電線からなるバックライト引出線１６が設けられる。バックライト引出線１６の端部にはコネクタ１７が設けられる。面状表示器７の裏面には、制御用のコネクタ１８が設けられる。コネクタ１８には、フラットケーブルのような被覆電線からなる表示制御電線１９の一端に設けられたコネクタ２０が接続される。表示制御電線１９の他端にもコネクタ２１が設けられる。
【００１２】
ユニットフレーム８は、鉄板のような金属板により、フレーム基盤２３、左側壁２４、右側壁２５、上側壁２６、下側壁２７、画像視認開口部２８、表示取付部２９、表示位置決め部３０、基板取付部３１、相手取付部３２、補助台３３を一体に備えた構造に構成される。フレーム基盤２３は、面状表示器７の前面よりも大きな方形である。左側壁２４、右側壁２５、上側壁２６、下側壁２７は、フレーム基盤２３の４つの周縁から裏側に直角に折り曲げられる。これによって、フレーム基盤２３の裏側には、面状表示器７を収容するための収容部が、裏側に開口し、フレーム基盤２３、左側壁２４、右側壁２５、上側壁２６、下側壁２７で囲まれた形状として形成される。画像視認開口部２８は、面状表示器７の前面よりも小さな方形であって、フレーム基盤２３に、前後方向への貫通孔として設けられる。
【００１３】
表示取付部２９および表示位置決め部３０は、フレーム基盤２３に設けられる。表示取付部２９は、画像視認開口部２８よりも左側および右側に位置し、フレーム基盤２３の左右端部に２個ずつ設けられる。表示取付部２９は、フレーム基盤２３から裏側に直角に折り曲げられた突片の後部が右側に直角に折り曲げられた形態である。よって、表示取付部２９は、フレーム基盤２３よりも裏側に離れてフレーム基盤２３と平行である。表示取付部２９には、面状表示器７を固定するためのねじ結合孔３４が、前後方向への貫通孔として形成される。表示位置決め部３０は、右側における表示取付部２９の間に位置し、フレーム基盤２３から裏側に直角に折り曲げられた形態である。フレーム基盤２３には、表示取付部２９および表示位置決め部３０を加工した跡の残渣孔３５；３６が形成される。基板取付部３１は、右側壁２５から左側に直角に折り曲げられ、フレーム基盤２３と平行する形態である。フレーム基盤２３と基板取付部３１との間の寸法Ｔ１は、面状表示器７の前後方向の寸法である厚さＴ２よりも大きい（Ｔ１＞Ｔ２）。基板取付部３１には、中抜孔３７が形成される。中抜孔３７が形成されたことによって、基板取付部３１は、相対峙する一対の上下片と、上下片を相互に繋ぐ左片とを備えた形状に構成される。基板取付部３１における上下片と左片とには、バックライト回路基板９を固定するためのねじ結合孔３８が、上下方向への貫通孔として設けられる。
【００１４】
相手取付部３２は、ユニットフレーム８に対し左右に２個ずつ設けられる。右側の相手取付部３２は、基板取付部３１における上下片の右端部に設けられる。左側の相手取付部３２は、上側壁２６および下側壁２７から裏側に突出した突片の後部が内側に直角に折り曲げられた形態である。よって、相手取付部３２は、フレーム基盤２３と平行である。相手取付部３２には、図２の容器３を固定するためのねじ結合孔３９が、上下方向への貫通孔として設けられる。補助台３３は、中抜孔３７に位置し、右側壁２５から裏側に突出した突片の後部が左側に直角に折り曲げられた形態である。フレーム基盤２３と左側の相手取付部３２との間の寸法と、補助台３３とフレーム基盤２３との間の寸法とは、相互に同一であって、これらの寸法をＴ３とすると、Ｔ３はＴ１よりも大きい（Ｔ３＞Ｔ１）。そして、バックライト回路基板９が基板取付部３１の裏側に装着された場合、左側の相手取付部３２および補助台３３は、バックライト回路基板９の表面に設けられた電気部品よりも裏側に配置される。
【００１５】
バックライト回路基板９は、図２の制御回路基板４から供給される電力で面状表示器７のバックライトを駆動して点灯させる部品であって、電圧変換部品４１やコネクタ４２；４３などの電気部品がプリント基板のような回路基板の表面に実装され、電圧変換部品４１やコネクタ４２；４３などの電気部品の電気端子が回路基板の裏側に突出し、電気端子が回路基板に敷設されたプリント電線と呼ばれる箔状電線で相互に配線され、バックライト回路基板９をユニットフレーム８に固定するためのねじ挿入孔４４が回路基板に前後方向への貫通孔として設けられる。
【００１６】
図３乃至図５を参照し、画像表示構造体２の組立方について説明する。図３および図４において、バックライト回路基板９の裏面がフレーム基盤２３の裏面の側に向けられ、バックライト回路基板９がユニットフレーム８の裏側から基板取付部３１に搭載され、タッピングスクリューのような止ねじ４５がバックライト回路基板９のねじ挿入孔４４から基板取付部３１のねじ結合孔３８に締結されることによって、中抜孔３７の左側の部分はバックライト回路基板９で覆われ、バックライト回路基板９が基板取付部３１の裏側に取り付けられる。また、面状表示器７の表示画面１０がフレーム基盤２３の裏面の側に向けられ、２本のバックライト引出線１６が右側に配置され、面状表示器７がフレーム基盤２３の裏側で左側壁２４と左側における相手取付部３２との間の隙間から右側に挿入され、２本のバックライト引出線１６が基板取付部３１の下から中抜孔３７を経由してユニットフレーム８の外側に引き出される（図４参照）。
【００１７】
次に、図３および図５において、面状表示器７の右端部が基板取付部３１の下に潜り込ませられ、面状表示器７が左側から右側に移動されることによって、面状表示器７の右端部が表示位置決め部３０に衝突し、面状表示器７が収容部に取り込まれ、表示取付部２９が面状表示器７の前側凹部１２に収容され、面状表示器７の表示画面１０が画像視認開口部２８と対向し、面状表示器７における表示画面１０の周囲の前面がフレーム基盤２３の裏面に接触して重ね合わされる。その後、タッピングスクリューのような止ねじ４６がユニットフレーム８の裏側から面状表示器７の左側に位置する裏側凹部１３およびねじ挿入孔１５を経由して表示取付部２９のねじ結合孔３４に締結され、上記と別のタッピングスクリューのような止ねじ４６がユニットフレーム８の裏側からバックライト回路基板９で覆われていない中抜孔３７と面状表示器７の右側に位置する裏側凹部１３およびねじ挿入孔１５を経由して表示取付部２９のねじ結合孔３４に締結されることによって、面状表示器７がフレーム基盤２３の裏側に取り付けられる。面状表示器７およびバックライト回路基板９がユニットフレーム８に取り付けられるのは、どちらが先でもよい。
【００１８】
また、図５において、バックライト回路基板９のコネクタ４３には被覆電線４７の一端に設けられたコネクタ４８が裏側から接続される。被覆電線４７の他端にはコネクタ４９が設けられる。そして、バックライト回路基板９および面状表示器７がユニットフレーム８に取り付けられた後、２本のバックライト引出線１６のコネクタ１７が左側からバックライト回路基板９のコネクタ４２に個別に接続される。これによって、バックライト回路基板９および面状表示器７が互いに通電可能に接続され、画像表示構造体２の組立が終了する。
【００１９】
図６を参照し、補助台３３の機能について説明する。組立の終了した画像表示構造体２では、相手取付部３２がバックライト回路基板９の表面に設けられた電圧変換部品４１やコネクタ４２；４３などの電気部品よりも裏側に配置されている。よって、実線で示す画像表示構造体２の前面が作業台や収納箱の底部などの搭載部分５０の上に載せられ、仮想線で示す画像表示構造体２のフレーム基盤２３の前面が実線で示す画像表示構造体２の補助台３３および左側の相手取付部３２の上に接触して載せられ、実線で示す画像表示構造体２と仮想線で示す画像表示構造体２とが互いに積み上げられる。この場合、相手取付部３２とフレーム基盤２３との間の寸法Ｔ３と、補助台３３とフレーム基盤２３との間の寸法Ｔ３とが、相互に同一に設定されているので、積み上げられた複数の画像表示構造体２が安定して崩れることがないという利点がある。
【００２０】
図７を参照し、容器３の構造について説明する。容器３は、無色な合成樹脂のような光を透過する性質の有る材料により、角筒体５５、上台座５６、下台座５７、右台座５８、基板取付部５９、ユニット取付部６０、コネクタ収容部６１、リブ６２、補強壁６３、蓋係合部６４、蓋止部６５、突起６６、固着具取付部６７を一体に備えた形状に構成される。角筒体５５は前後方向に貫通する。上台座５６は、角筒体５５の上側壁から内側に突出する。下台座５７は、角筒体５５の下側壁から内側に突出する。右台座５８は、角筒体５５の右側壁から内側に突出する。基板取付部５９は、図１の制御回路基板４を固定するための部分であって、角筒体５５の内部に対し左右に２個ずつ設けられる。基板取付部５９は、上台座５６の裏面および下台座５７の裏面から裏側に筒状に突出する。ユニット取付部６０は、画像表示構造体２を固定するための部分であって、角筒体５５の内部に対し左右に２個ずつ設けられる。ユニット取付部６０は、上台座５６と下台座５７および右台座５８に前後方向への貫通孔として形成される。コネクタ収容部６１は、角筒体５５の左側部に前後方向への貫通孔として設けられる。
【００２１】
リブ６２は、角筒体５５の上側壁および下側壁から内側に突出し、前後方向に長い突条として形成される。補強壁６３は、上台座５６と下台座５７とに掛け渡された板状である。補強壁６３には、配線孔６８が、上台座５６の側に位置し、前後方向への貫通孔として設けられる。角筒体５５の右側壁と補強壁６３の右端部との間は、前後方向に貫通した空間部６９を構成する。角筒体５５および補強壁６３には、放熱孔７０；７１が設けられる。蓋係合部６４および蓋止部６５は、図１の蓋５を固定するための部分である。蓋係合部６４は、角筒体５５の下側壁に、上下方向への貫通孔として、左右に設けられる。蓋止部６５は、角筒体５５の上側壁に、上下方向への貫通孔として、中央に設けられる。突起６６および固着具取付部６７は、遊技画像表示装置１を図１の遊技盤の裏面に取り付けるための部分である。突起６６は、角筒体５５の上側壁および下側壁の右側に位置し、上側壁および下側壁から外側に突出する。固着具取付部６７は、角筒体５５の上側壁および下側壁の左側に位置し、上側壁および下側壁から外側に突出する。固着具取付部６７には、固着具７２が設けられる。遊技画像表示装置１を遊技盤９６に取り付けるための取付構造については、図１２で後述する。角筒体５５の上側壁には、囲い収容部７３が、角筒体５５の裏面および上下方向に開口し、上側壁の裏面から内部への窪みとして設けられる。
【００２２】
図７において、画像表示構造体２の裏面が容器３の前面の側に向けられ、画像表示構造体２が角筒体５５の内部に挿入され、画像表示構造体２の相手取付部３２が容器３のユニット取付部６０に個別に対応し、バックライト回路基板９および被覆電線４７が空間部６９に配置され、表示制御電線１９が配線孔６８から容器３の裏側に引き出される。そして、タッピングスクリューのような止ねじ７４が容器３の裏側からユニット取付部６０を経由してねじ結合孔３９に個別に締結されることによって、画像表示構造体２が容器３の前側に容器３の裏側から取り付けられる（図８参照）。
【００２３】
図８を参照し、制御回路基板４の構造について説明する。制御回路基板４は、遊技機に搭載された電源装置から供給される電力で起動して制御処理を実行する部品であって、ＣＰＵ７５、ＩＣソケット７６、ボリューム７７、コネクタ７８；７９；８０などの電気部品がプリント基板のような回路基板の表面に実装され、ＩＣソケット７６、ボリューム７７、コネクタ７８；７９；８０などの電気部品の電気端子が回路基板の裏側に突出し、電気端子が回路基板に敷設されたプリント電線と呼ばれる箔状電線で相互に配線され、コネクタ８１が回路基板の裏面に実装され、コネクタ８１の電気端子が回路基板の表側に突出し、電気端子が回路基板に敷設されたプリント電線と呼ばれる箔状電線でＩＣソケット７６、ボリューム７７、コネクタ７８；７９；８０などの電気部品に配線され、制御回路基板４を容器３に固定するためのねじ挿入孔８２が回路基板に前後方向への貫通孔として設けられる。ＣＰＵ７５は、ＩＣソケット７６に機械的に嵌め込まれて電気的に接続される。
【００２４】
制御回路基板４は、容器３に、次のように取り付けられる。制御回路基板４の裏面が容器３の裏面の側に向けられ、制御回路基板４が角筒体５５の内部に挿入され、制御回路基板４のねじ挿入孔８２が容器３の基板取付部５９に個別に対応し、コネクタ８１がコネクタ収容部６１に挿入される。そして、タッピングスクリューのような止ねじ８３が容器３の裏側からねじ挿入孔８２を経由して基板取付部５９に個別に締結されることによって、制御回路基板４が容器３の裏側に容器３の裏側から取り付けられる。表示制御電線１９のコネクタ２１が、容器３の上側壁と制御回路基板４との間を経由して、制御回路基板４のコネクタ７９に裏側から接続される。被覆電線４７のコネクタ４９が、容器３の右側壁と制御回路基板４との間を経由して、制御回路基板４のコネクタ７８に裏側から接続される
【００２５】
図９を参照し、画像表示構造体２が容器３の内部前側に止ねじ７４で取り付けられ、制御回路基板４が画像表示構造体２の裏側に位置して容器３の内部裏側に止ねじ８３で取り付けられた構造について説明する。容器３を裏側の真上から見た場合、止ねじ７４が制御回路基板４で覆い隠されることなく容器３の裏側からねじまわしのような工具で操作して容器３から裏側に取り外すことができ、止ねじ８３が画像表示構造体２で覆い隠されることなく容器３の裏側からねじまわしのような工具で操作して容器３から裏側に取り外すことができる。よって、人が容器３の裏側からコネクタ２１を容器３の裏側に引っ張るようにしてコネクタ７９から取り外し、人が容器３の裏側からコネクタ４９を容器３の裏側に引っ張るようにしてコネクタ７８から取り外すことによって、画像表示構造体２と制御回路基板４との電気的な接続が解除される。つまり、コネクタ２１；４９がコネクタ７９；７８に容器３の裏側に引っ張って取り外せるように容器３の裏側から嵌め込まれているので、コネクタ２１；４９；７９；７８における相互間の着脱が容易であるという利点がある。そして、人が止ねじ７４を容器３から裏側に取り外すと、画像表示構造体２が制御回路基板４と関係なく独立して容器３から前側に取り外せるという利点がある。また、人が止ねじ８３を容器３から裏側に取り外すと、制御回路基板４が画像表示構造体２と関係なく独立して容器３から前側に取り外せるという利点がある。また、ボリューム７７が容器３の裏側から見えるので、音量の調整が容易に行えるという利点がある。ＣＰＵ７５が容器３の裏側から見え、ＩＣソケット７６に嵌め込まれているので、ＣＰＵ７５の交換が容易であるという利点がある。
【００２６】
図８および図９に示すように、画像表示構造体２がコネクタ１８；４３を備え、制御回路基板４がコネクタ７８；７９を備え、表示制御電線１９がコネクタ２０；２１を備え、被覆電線４７がコネクタ４８；４９を備え、コネクタ２０がコネクタ１８に機械的に嵌め込まれて電気的に接続され、コネクタ２１がコネクタ７９に機械的に嵌め込まれて電気的に接続され、コネクタ４８がコネクタ４３に機械的に嵌め込まれて電気的に接続され、コネクタ４９がコネクタ７８に機械的に嵌め込まれて電気的に接続されることによって、画像表示構造体２および制御回路基板４が互いに接続されている。つまり、画像表示構造体２および制御回路基板４が互いに容器３の内部における表示制御電線１９および被覆電線４７で接続されているので、表示制御電線１９と被覆電線４７の長さが最も短くできるという利点がある。そして、表示制御電線１９と被覆電線４７が容器３と蓋５とで挟まされることがなく、容器３と蓋５とからなる筐体の内部には短い表示制御電線１９と被覆電線４７を収容する場所が必要なだけであるので、遊技画像表示装置１が小形化できるという利点がある。
【００２７】
図１０を参照し、蓋５の構造について説明する。蓋５は、無色な合成樹脂のような光を透過する性質の有る材料により、蓋基盤８５、容器係合部８６、容器止部８７、コネクタ囲い部８８を一体に備えた形状に構成される。蓋基盤８５は、角筒体５５の裏側端面に搭載されることによって、角筒体５５の裏側の開口を全体的に覆い隠す部分である。容器係合部８６は、蓋基盤８５に対し左右に設けられ、蓋基盤８５の下縁部から前側に突出した弾性支持片８９と、弾性支持片８９の前端部から下側に突出したフック９０とを備える。容器止部８７は、蓋基盤８５に対し中央に設けられ、蓋基盤８５の上縁部から前側に突出した後に裏側に折り返された弾性支持片９１と、弾性支持片９１の後端部から上側に突出したフック９２とを備える。コネクタ囲い部８８は、蓋基盤８５に対し中央に設けられ、凹部９３および周壁９４を備える。凹部９３は、前後方向および下側に開口し、蓋基盤８５の下縁部から内部への窪みとして形成される。周壁９４は凹部９３の３つの縁部から前側に突出する。
【００２８】
蓋５は、容器３に、次のように取り付けられる。蓋５の前面が容器３の裏面の側に向けられ、蓋５が容器３の裏側から角筒体５５に近づけられ、コネクタ囲い部８８の周壁９４が囲い収容部７３に挿入され、容器係合部８６が蓋係合部６４と対応するように角筒体５５の内部に挿入され、フック９０が角筒体５５の内部から蓋係合部６４に嵌め込まれ、容器止部８７が蓋止部６５と対応するように角筒体５５の内部に挿入され、フック９２が角筒体５５の内部から蓋止部６５に嵌め込まれる。これによって、蓋基盤８５の周縁部が角筒体５５の裏側端面に接触して搭載されて角筒体５５の裏側の開口を全体的に覆い隠し、蓋５が容器３に取り付けられる。蓋係合部６４と容器係合部８６とが互いに嵌め合わされ、蓋止部６５と容器止部８７とが互いに嵌め合わされることによって、蓋５が容器３に取り付けられているので、止ねじのような締結具が不要となるという利点がある。
【００２９】
図１１を参照し、制御回路基板４が容器３に取り付けられ、蓋５が容器３に取り付けられた場合における、遊技画像表示装置１の裏側からの外観について説明すると、制御回路基板４のコネクタ８０が蓋５のコネクタ囲い部８８に配置されて遊技画像表示装置１の外部に露出する。
【００３０】
図１２を参照し、遊技画像表示装置１が遊技盤９６に取り付けられるための取付構造について説明する。遊技盤９６の裏面には、第１取付台９７および第２取付台９８が止ねじのような取付具で遊技盤９６の裏側から取り付けられる。遊技盤９６は、遊技盤９６の前面における図外のガイドレールで囲まれた内側の遊技領域に入賞部品を備え、遊技領域から入賞部品に取り込まれたパチンコ球と呼ばれる球を遊技盤９６の裏側に排出する構造である。第１取付台９７は、セット板とも呼ばれ、入賞部品から遊技盤９６の裏側に排出された球を下方に誘導して排出する機能を備える。遊技盤９６および第１取付台９７には、図柄視認窓９９が、前後方向への貫通孔として形成される。図柄視認窓９９の周りの第１取付台９７の裏面には、部品係合部１００および部品固定部１０１が設けられる。第２取付台９８は、主制御装置と呼ばれる遊技制御装置１０２を第１取付台９７から裏側に離れて設置させる構造体であって、第１取付台９７の裏面に、止ねじのような取付具で取り付けられる。遊技制御装置１０２は、第２取付台９８の裏面に設置される。遊技制御装置１０２は、入力側のコネクタ１０３および出力側のコネクタ１０４を備える。遊技制御装置１０２が第２取付台９８に取り付けられる場合、コネクタ１０３が第２取付台９８に設置されたコネクタ１０５に接続される。
【００３１】
遊技画像表示装置１は、第１取付台９７に次のように取り付けられる。図３の表示画面１０が遊技盤９６の裏面の側に向けられるように、遊技画像表示装置１の前面が遊技盤９６の裏面の側に向けられ、突起６６が遊技盤９６の裏側から部品係合部１００に嵌め込まれ、突起６６と部品係合部１００との嵌め込まれた部分を中心とし、遊技画像表示装置１が前側に移動されると、固着具７２が筒状の部品固定部１０１の内部に挿入され、固着具取付部６７が部品固定部１０１の裏面に接触する。そして、固着具７２が人によって前側に押し込まれると、コネクタ８１が第１取付台９７に設けられた図外の電源供給のコネクタに接続され、固着具７２の先端部に装着された図外の爪部材が径方向外側に広がって部品固定部１０１の内部に係合し、遊技画像表示装置１が第１取付台９７の裏面に固定的に取り付けられる。その後、フラットケーブルのような被覆電線からなる遊技制御電線１０６の一端に設けられたコネクタ１０７が遊技制御装置１０２のコネクタ１０４に接続され、遊技制御電線１０６の他端に設けられたコネクタ１０８が遊技画像表示装置１のコネクタ８０に接続される。
【産業上の利用可能性】
【００３２】
面状表示器７がバックライトを必要としないものであれば、バックライト回路基板９は必要ない。面状表示器７の表示画面を球の衝突から保護するための無色な合成樹脂や無色なガラスなど光を透過する性質の有る材料からなる保護パネルは、面状表示器７とフレーム基盤２３との間に挟み込むように設けてもよく、図柄視認窓９９に対応して第１取付台９７の裏面または前面に設けてもよく、図柄視認窓９９に対応して遊技盤９６の遊技領域に設置される飾り部品の裏面または前面に設けてもよい。蓋５はヒンジで開閉可能に容器３に連結してもよい。コネクタ８１が第１取付台９７に設けられた図外の電源供給の被覆電線の設けられたコネクタに接続されてもよい。
【図面の簡単な説明】
【００３３】
【図１】遊技画像表示装置の縦断面図（最良の形態）。
【図２】遊技画像表示装置の分解斜視図（最良の形態）。
【図３】画像表示構造体の分解斜視図（最良の形態）。
【図４】面状表示器とユニットフレームとの組立方の斜視図（最良の形態）。
【図５】画像表示構造体の背面図（最良の形態）。
【図６】図５のＢ−Ｂ線断面図（最良の形態）。
【図７】画像表示構造体と容器との斜視図（最良の形態）。
【図８】容器と制御回路基板との斜視図（最良の形態）。
【図９】画像表示構造体および制御回路基板の組み立てられた容器の背面図（最良の形態）。
【図１０】容器と蓋との斜視図（最良の形態）。
【図１１】組み立てられた遊技画像表示装置の斜視図（最良の形態）。
【図１２】遊技画像表示装置の取り付けられた遊技盤の背面図（最良の形態）。
【符号の説明】
【００３４】
１    遊技画像表示装置
２    画像表示構造体
３    容器
４    制御回路基板
５    蓋
７    面状表示器
８    ユニットフレーム
９    バックライト回路基板
１６  バックライト引出線
１７  コネクタ
１８  コネクタ
１９  表示制御電線
２０  コネクタ
２１  コネクタ
４２  コネクタ
４３  コネクタ
４６  止ねじ
４７  被覆電線
４８  コネクタ
４９  コネクタ
６４  蓋係合部
６５  蓋止部
７４  止ねじ
７８  コネクタ
７９  コネクタ
８３  止ねじ
８６  容器係合部
８７  容器止部
【図１】
2007021110.tif 000003
【図２】
2007021110.tif 000004
【図３】
2007021110.tif 000005
【図４】
2007021110.tif 000006
【図５】
2007021110.tif 000007
【図６】
2007021110.tif 000008
【図７】
2007021110.tif 000009
【図８】
2007021110.tif 000010
【図９】
2007021110.tif 000011
【図１０】
2007021110.tif 000012
【図１１】
2007021110.tif 000013
【図１２】
2007021110.tif 000014